(57)【特許請求の範囲】
【請求項１】
水槽と、該水槽の後方上部に設置されるキャビネットとを備えた水槽付き家具であって、前記キャビネットに、キャビネットの前面側と前記水槽の下方側とを連通する配管挿通用開口を形成すると共に収納部を設け、該収納部の前面を開閉自在な扉で覆うと共に収納部の内部にビス孔を形成し、水栓と該水栓に上水を供給する接続用配管を予め基台に組み付けたアセンブリー体を、前記ビス孔にビス止めして前記キャビネットに取り付け、前記接続用配管の先端部を前記配管挿通用開口を通して水槽の下方側に臨ませたことを特徴とする水槽付き家具。
【請求項２】
フロアキャビネットの上部に水槽を固定し、該水槽の後方上部にキャビネットを設置した水槽付き家具であって、前記キャビネットに、キャビネットの前面側とフロアキャビネットの内部とを連通する配管挿通用開口を形成すると共に収納部を設け、該収納部の前面を開閉自在な扉で覆うと共に収納部の内部にビス孔を形成し、水栓と該水栓に上水を供給する接続用配管を予め基台に組み付けたアセンブリー体を、前記ビス孔にビス止めして前記キャビネットに取り付け、前記接続用配管の先端部を前記配管挿通用開口を通してフロアキャビネットの内部に臨ませたことを特徴とする水槽付き家具。
【発明の詳細な説明】
【０００１】
【発明の属する技術分野】
本発明は、水槽の後部に形成された立壁面に水栓を取り付けた、洗面化粧台や手洗い器、若しくは流し台のような水槽付き家具に関する。
【０００２】
【従来の技術】
従来の水槽付き家具として、洗面化粧台を例にして説明する。
近年多く普及している洗面化粧台は、図１４に示すように、フロアキャビネットの上部に洗面器Ａを固定した洗面台Ｂと、その後方上部に載置されるミラーキャビネットＣとから構成され、水栓Ｄは洗面器Ａの後部に形成された水平なデッキ面Ｅに固定されている。しかし、この例においては、濡れた手で水栓Ｄを操作した時に生じる垂れ水や水作業により生じる跳ね水が水栓取付部の周辺に溜まり、水垢などの汚れが付着しやすく、清掃性に難があり、且つその汚れにより洗面化粧台の美観を損ねるという問題があった。
【０００３】
そこで、近年では出願人を始めとして、洗面器の後部に形成した立壁面の前面に水栓を固定して、水栓取付部回りに水が溜まらず水垢などの付着の少ない洗面化粧台の提案がなされてきている。
その一例を図１５に示して説明すると、洗面化粧台は、フロアキャビネットの上部に洗面器Ａ′を固定した洗面台Ｂ′と、その後方上部に載置されるミラーキャビネットＣ′とから構成される。
ミラーキャビネットＣ′は照明具、鏡、収納棚を備えており、さらにその下部に形成された立壁面Ｆ′に水栓Ｄ′を設けている。さらに、ミラーキャビネットＣ′内部において、水栓Ｄ′に上水供給用の接続用配管が連結固定されている。
洗面化粧台の施工の際には、まず洗面台Ｂ′を設置し、その後接続用配管を洗面台Ｂ′の後方に差し込みつつミラーキャビネットＣ′を洗面台Ｂ′の上に載置してビスにより壁面に固定する。
【０００４】
【発明が解決しようとする課題】
ところが、ミラーキャビネットＣ′に水栓Ｄ′が固定された洗面化粧台においては、ミラーキャビネットＣ′の設置の際に、ミラーキャビネットＣ′から下方に延びる接続用配管を洗面台Ｂ′の後方に差し込むため、重量があり且つ１ｍ程度の高さ寸法であるミラーキャビネットＣ′を上方高く持ち上げなければならず、施工に人手や手間が多くかかってしまうという問題があった。
【０００５】
さらには、洗面化粧台の据付後に水栓Ｄ′を交換したい場合には、ミラーキャビネットＣ′の全体を壁面から取り外す必要があるという問題もあった。
【０００６】
そこで、上記の点に鑑み、本発明は据え付け施工が簡単にできる水槽付き家具を提供することを目的とする。
【０００７】
【課題を解決するための手段】
請求項１の発明は、水槽と、該水槽の後方上部に設置されるキャビネットとを備えた水槽付き家具であって、前記キャビネットに、キャビネットの前面側と前記水槽の下方側とを連通する配管挿通用開口を形成してなり、水栓と水栓に上水を供給する接続用配管を予め基台に組み付けたアセンブリー体をキャビネットに取り付けてなり、前記接続用配管の先端部を前記配管挿通用開口を通して水槽の下方側に臨ませたことを特徴とする。
【０００８】
それによれば、水栓と該水栓に上水を供給する接続用配管を予め基台に組み付けたアセンブリー体をキャビネットに取り付けるので、水槽付き家具への水栓の取り付けが楽にできる。
【０００９】
また請求項１の発明は、キャビネットに収納部を設け、収納部の前面を開閉自在な扉で覆うと共に収納部の内部にビス孔を形成し、アセンブリー体を前記ビス孔にビス止めしたことを特徴とする。
【００１０】
それによれば、アセンブリー体のビス止め部が扉で隠蔽される共に、ビスに水跳ねすることがない。
【００１１】
請求項２の発明は、フロアキャビネットの上部に水槽を固定し、該水槽の後方上部にキャビネットを設置した水槽付き家具であって、キャビネットに、キャビネットの前面側とフロアキャビネットの内部とを連通する配管挿通用開口を形成してなり、水栓と水栓に上水を供給する接続用配管を予め基台に組み付けたアセンブリー体をキャビネットに取り付けてなり、接続用配管の先端部を配管挿通用開口を通してフロアキャビネットの内部に臨ませたことを特徴とする。
【００１２】
それによれば、水栓と接続用配管を予め基台に組み付けたアセンブリー体をキャビネットに取り付けるので、水槽付き家具への水栓の取り付けが楽にできる。
【００１３】
また請求項２の発明は、キャビネットに収納部を設け、収納部の前面を開閉自在な扉で覆うと共に収納部の内部にビス孔を形成し、アセンブリー体を前記ビス孔にビス止めしたことを特徴とする。
【００１４】
それによれば、アセンブリー体のビス止め部が扉で隠蔽される共に、ビスに水跳ねすることがない。
【００１５】
【発明の実施の形態】
本発明の洗面化粧台としての第１実施例を図に基づいて説明する。
図１及び図２に示すように、洗面化粧台１は、フロアキャビネット２の上端に陶器製洗面器からなる水槽３を設けた洗面台４と、洗面台４の水槽３の後方上部位置に載置されるミラーキャビネット５とより構成される。
洗面台４は、フロアキャビネット２の左側を引出し式収納部２ａとし、その右側を扉式収納部２ｂとし、扉式収納部２ｂの後方に配管用空間６を設けている。配管用空間６には、建築体の壁面Ｗに既設された水道管及び／又は給湯管７の先端が露出しており、水道管及び／又は給湯管７の先端に止水栓８が取り付けられる。また、止水栓８には上方に延びる上水配管９が取り付けられる。
水槽３は、その下部に排水口３ａを後部にオーバーフロー口３ｂを形成すると共に、図３に示すように、水槽３の後端３ｃをフロアキャビネット２の後端２ｃより前方になるように位置決めされた上でフロアキャビネット２に接着固定されている。水槽３の後端部３ｃとフロアキャビネット２の後端部２ｃとの間には隙間１０が形成され、後述する接続用配管１８が挿通する開口部となっている。
【００１６】
ミラーキャビネット５は、本体５ａを合成樹脂（ＨＩＰＳ）の射出成型により一体形成され、本体５ａの上部に照明具１１を設け、照明具１１の下部に鏡１２及び収納棚１３を設け、本体５ａの下部の左右両側に収納部１４を設けている。
図６に示すように、収納部１４の後壁１４ａにはビス孔１５が設けられ、前面側に扉１６が開閉自在に軸着され、扉１６を閉じると収納部１４の内部が外側から見えなくなる。
また、ミラーキャビネット５の下部中央位置に、水栓１７及び接続用配管１８が予め組み付けられてなるアセンブリー体１９を設けている。
【００１７】
図３に示すように、水栓１７は、水と湯を混合する湯水混合部１７ａと、湯水混合部１７ａにおける水と湯の流量及び混合比を調整して吐水の流量及び温度を調節するレバーハンドル（操作部）１７ｂと、シャワーヘッド（吐水部）１７ｃと、シャワーヘッド１７ｃと湯水混合部１７ａとを連結するシャワーホース１７ｄとで構成されるいわゆるシングルレバー式の湯水混合栓である。
湯水混合部１７ａには、可撓管である耐圧ホースからなる接続用配管１８が組み付けられ、接続用配管１８の先端に上水配管９に連結可能なユニオンナット２０が設けられている。
【００１８】
図５に示すように、アセンブリー体１９は、矩形状の前面板２１ａと、前面板２１ａの両側部から後方に約９０度の方向に曲げられた側面板２１ｂと、側面板２１ｂの後部から前面板２１ａと平行に且つ外向きに曲げられた取付フランジ２１ｃとをＡＢＳ樹脂で一体成型した基台２１に、前述の水栓１７と接続用配管１８を施工現場において組み付けたものである。なお、基台２１の上部にはアセンブリー体１９の強度を確保するための補強リブ２１ｄが設けられている。
前面板２１ａは、その一部に後方に凹んだシャワーヘッド保持部２２を形成し、シャワーヘッド保持部２２の底面２２ａを前方に傾く傾斜面とし、その底面２２ａにシャワーホース挿通用孔２１ｅを開設している。さらに、前面板２１ａには水栓１７の湯水混合部取付用孔２１ｆを開設している。
水栓１７は、シャワーホース挿通用孔２１ｅにシャワーヘッド支持具（図示なし）を固定すると共に背面から湯水混合部取付用孔２１ｆに湯水混合部１７ａを差し込んで固定し、湯水混合部１７ａの前部にレバーハンドル１７ｂを取り付けて基台２１に組み付けられる。すなわち、水栓１７の湯水混合部１７ａがアセンブリー体１９の背面側に位置し、アセンブリー体１９の前面側には吐水部１７ｃとレバーハンドル１７ｂのみが露出するので、水栓１７のアセンブリー体１９の前面への突出量が少なくなる。
【００１９】
図６に示すように、ミラーキャビネット５の左右の収納部１４の間には、水栓１７の湯水混合部収納空間２３が形成され、湯水混合部収納空間２３の下部には接続用配管１８が挿通する配管挿通用開口２４が開設されている。配管挿通用開口２４は、ミラーキャビネット５の前面側と、配管用空間６である水槽３の下方側のフロアキャビネット２内部と、を連通するごとく形成されている。
さらに、収納部１４の湯水混合部収納空間側の側壁１４ｂに前方から切り欠き２５が形成され、その切り欠き２５がアセンブリー体１９の組み付け時のガイドとなっている。
そして、アセンブリー体１９は、収納部１４のビス孔１５に取付フランジ２１ｃをビス止めすることでミラーキャビネット５に取り付けられる。
また、ミラーキャビネット５にアセンブリー体１９を取り付けると、接続用配管１８は配管挿通用開口２４を抜けて、その先端部１８ａがフロアキャビネット２の内部に達し、水槽３の下方側に臨んだ状態になる。すなわち、洗面台４の収納部２ｂの扉を開くと、正面側から接続用配管１８の先端部１８ａが水槽３の下方に見えるようになっている。
【００２０】
以上説明した洗面化粧台１の施工の手順を示す。先ず洗面台４を壁面Ｗに固定し、さらにミラーキャビネット５を水槽３の上部に載せると共に壁面Ｗにビス止めする。次に、図８に示すように予め水栓１７と接続用配管１８を組み付けたアセンブリー体１９に組み付けられた接続用配管１８の先端部１８ａを配管挿通用開口２４に挿入し（図８（ｂ））、そして接続用配管１８の可撓性を利用して接続用配管１８を曲げながらアセンブリー体１９の下端を湯水混合部収納空間２３の下部近傍に近づけて（図８（ｃ））、さらに収納部１４の切り欠き２５にアセンブリー体１９の側面板２１ｂの上縁を沿わせながら、アセンブリー体１９が湯水混合部収納空間２３を完全に覆うまで後方に押し付ける（図８（ｄ））。すると、アセンブリー体１９の取付フランジ２１ｃが収納部１４の後壁１４ａに突き当たるので、取付フランジ２１ｃの前面側からミラーキャビネット５を貫通して建築側の壁面Ｗに抜けるまでビス２６をねじ込んでアセンブリー体１９の取付が完了する。
そして、水槽３よりも下方領域の配管用空間６に達する接続用配管１８の先端部１８ａと上水配管９の上部先端９ａとをユニオンナット２０で連結して、洗面化粧台１の施工が終了する。
【００２１】
また、水栓の修理や交換の際には、ユニオンナット２０を回して接続用配管１８と上水配管９との連結を解き、取付用のビス２６を外せばアセンブリー体１９をミラーキャビネット５から簡単に外すことができる。
【００２２】
この実施例においては、予め水栓１７と接続用配管１８を組み付けたアセンブリー体１９をミラーキャビネット５の前面側に取り付けて洗面化粧台１を組み立てるので、簡単に施工でき、施工性が向上する。また、アセンブリー体１９はミラーキャビネット５にビス止めされるだけなので、簡単に着脱ができ、水栓１７のメンテナンスも簡単にできるうえ、水栓１７の取り換えも容易である。
また、接続用配管１８の先端部１８ａが水槽３よりも下方領域のフロアキャビネット２の内部に達するので、狭いフロアキャビネット２の中でも水道管及び／又は給湯管７に取り付けた上水配管９と接続用配管１８との連結作業が容易にでき、さらに施工性が向上する。
【００２３】
さらに、アセンブリー体１９の取付フランジ２１ｃは通常扉１６に隠れて見えないので、ビス２６が外に露出せず洗面化粧台１の意匠を損なうことがない。また、アセンブリー体１９のビス止め部が扉１６に隠れているので水作業の水跳ねがビス２６にかかることがなく、金属製のビス２６に錆が発生することもない。
【００２４】
さらに、また、収納部１４の切り欠き２５がアセンブリー体１９の組み付け時の案内用ガイドとなるので、ガイドに沿わせてアセンブリー体１９をミラーキャビネット５奥方に押し込めば、一層簡単に施工ができる。
【００２５】
さらに、アセンブリー体で配管挿通用開口を隠すようにしたので、キャビネットの配管挿通用開口と接続用配管との間に生じる隙間はアセンブリー体で隠蔽され、水槽付き家具の外観が向上する。
【００２６】
また、アセンブリー体１９の前面は水槽３の後部にほぼ垂直方向に立設する立壁面となるので、水栓１７を濡れた手で触ったり、水作業時の水跳ねが水栓１７にかかっても、水栓１７に付着した水はアセンブリー体１９の前面を伝って下に落ちるので水栓１７の取付部周りに水が溜まることがなく、水垢も付着しない。
【００２７】
さらに、水栓１７の大部分がアセンブリー体１９の背面側に位置するので、水栓１７のアセンブリー体１９の前面への突出量が少なくなり、使用者への圧迫感がなくなり、さらに水栓１７の吐水口や操作部１７ｂが使用者側に近づくので、使い勝手が向上する。
さらに、また、アセンブリー体１９はミラーキャビネット５の前面側に取り付けられるので、水栓１７のレバーハンドル１７ｂやシャワーヘッド１７ｃが使用者側に近づき操作がしやすく、使い勝手が向上する。
【００２８】
次に、第１実施例の変形例である第２〜第４実施例を図に基づいて説明する。なお、先の実施例と同様の構成については、同じ符号を付しその説明を省く。
＜第２実施例＞
図９に示すように、洗面台（図示せず）の上方に載置されるミラーキャビネット５の下部側左右に棚板３１を形成し、その棚板３１の間をアセンブリー体３２の取り付けスペース３３とし、取り付けスペース３３の下部に配管挿通用開口２４が形成されている。
【００２９】
アセンブリー体３２は、第１実施例のように基台３４に水栓と接続用配管が予め組み付けられたものである、ただし、図９では水栓と接続用配管の記載を省きアセンブリー体３２の基台３４のみを示している。
アセンブリー体３２の取り付け手順は、先ず配管挿通用開口２４に接続用配管を挿入し、次に基台３４で配管挿通用開口２４を隠すようにしてアセンブリー体３２をミラーキャビネット５の取り付けスペース３３に配置し、さらに棚板３１の後部のビス孔１５にビス止めしてなる。
【００３０】
この例においては、予め基台３４に水栓と接続用配管を組み付けたアセンブリー体３２をミラーキャビネット５の前面側に取り付けて洗面化粧台を組み立てるので、施工が簡単にでき、施工性が向上する。また、アセンブリー体３２はミラーキャビネット５にビス止めされるだけなので、簡単に着脱ができ、水栓のメンテナンスも簡単にできるうえ、水栓の取り換えも容易である。
【００３１】
また、アセンブリー体３２の前面は水槽の後部にほぼ垂直に立設する立壁面となるので、水栓を濡れた手で触ったり、水作業時の水跳ねが水栓にかかっても、水栓に付着した水はアセンブリー体３２の前面を伝ってすぐに下に落ちるので水栓の取付部周りに水が溜まることがなく、水垢も付着しない。
【００３２】
さらに、アセンブリー体３２はミラーキャビネット５の前面側に取り付けられるので、水栓が使用者側に近づき操作がしやすく、使い勝手が向上する。
【００３３】
＜第３実施例＞
図１０に示すように、図示せぬ洗面台の上方に載置されるミラーキャビネット５の下部の前面に配管挿通用開口２４を形成し、その内側をアセンブリー体４１の湯水混合部収納空間４２としている。
【００３４】
アセンブリー体４１は基台４３に水栓と接続用配管が予め組み付けられたものであり、基台４３は平板状である。ただし、図１０においては、水栓と接続用配管の記載を省きアセンブリー体４１の基台４３のみを示している。
アセンブリー体４１の取り付け手順は、先ず配管挿通用開口２４に接続用配管を挿入し、次に湯水混合部を湯水混合部収納空間４２に収めるようにしながらアセンブリー体４１で配管挿通用開口２４を隠すようにしてミラーキャビネット５に配置し、さらに配管挿通用開口２４の両端部に形成されたビス孔１５にビス止めしてなる。
【００３５】
この例においては、予め基台４３に水栓と接続用配管を組み付けたアセンブリー体４１をミラーキャビネット５の前面側に取り付けて洗面化粧台を組み立てるので、施工が簡単にでき、施工性が向上する。また、アセンブリー体４１はミラーキャビネット５にビス止めされるだけなので、簡単に着脱ができ、水栓のメンテナンスも簡単にできるうえ、水栓の取り換えも容易である。
【００３６】
また、アセンブリー体４１の前面は水槽の後部にほぼ垂直に立設する立壁面となるので、水栓を濡れた手で触ったり、水作業時の水跳ねが水栓にかかっても、水栓に付着した水はアセンブリー体４１の前面を伝ってすぐに下に落ちるので水栓の取付部周りに水が溜まることがなく、水垢も付着しない。
【００３７】
さらに、アセンブリー体４１はミラーキャビネット５の前面側に取り付けられるので、水栓のレバーハンドルやシャワーヘッドが使用者側に近づき操作がしやすく、使い勝手が向上する。
【００３８】
＜第４実施例＞
図１１に示すように、ミラーキャビネット５の左右にオープン棚５１が縦長に設けられ、オープン棚５１に挟まれた領域の下部側にアセンブリー体５２の取り付けスペース５３が形成され、取り付けスペース５３の下部には配管挿通用開口２４が形成されている。
【００３９】
アセンブリー体５２は、前面板５４ａと前面板５４ａの上縁から後方に曲がる上面板５４ｂと上面板５４ｂから上向きに設けられた取付フランジ５４ｃとからなる基台５４を有し、基台５４に水栓と接続用配管が予め組み付けられている。ただし、図１１においては水栓と接続用配管の記載を省きアセンブリー体５２の基台５４のみを示している。
アセンブリー体５２の取り付け手順は、先ず配管挿通用開口２４に接続用配管を挿入し、次にアセンブリー体５２を、基台５４で配管挿通用開口２４を隠すようにしてミラーキャビネット５に配置し、さらに取付フランジ５４ｃを鏡１２の下部近傍にビス止めして、ミラーキャビネット５に取り付けられる。
【００４０】
この例においては、予め水栓と接続用配管を組み付けたアセンブリー体５２をミラーキャビネット５の前面側に取り付けて洗面化粧台を組み立てるので、施工が簡単にでき、施工性が向上する。また、アセンブリー体５２はミラーキャビネット５にビス止めされるだけなので、簡単に着脱ができ、水栓のメンテナンスも簡単にできるうえ、水栓の取り換えも容易である。
【００４１】
さらに、アセンブリー体５２のビス止め部はアセンブリー体５２の上面後部にあるので水作業時の水跳ねがビスにかかりにくく、金属製のビス２６に錆が発生することもない。
【００４２】
また、アセンブリー体５２の前面は水槽の後部にほぼ垂直に立設する立壁面となるので、水栓を濡れた手で触ったり、水作業時の水跳ねが水栓にかかっても、水栓に付着した水はアセンブリー体５２の前面を伝ってすぐに下に落ちるので水栓の取付部周りに水が溜まることがなく、水垢も付着しない。
【００４３】
さらにまた、アセンブリー体５２はミラーキャビネット５の前面側に取り付けられるので、水栓が使用者側に近づき操作がしやすく、使い勝手が向上する。
【００４４】
なお、以上説明した第１実施例〜第４実施例においては、水槽の後端部とフロアキャビネットの後端部との間に接続用配管を通す隙間を設けたが、水槽の後端部とフロアキャビネットの後端部を面一とし、水槽の後部に接続用配管を通す穴を開けてもいい。さらに、水槽はカウンターに取り付けられたものであってもいい。
また、配管挿通用開口はキャビネットに設けた切り欠きであってもいい。
【００４５】
次に、アセンブリー体を洗面台側に取り付けた実施例について説明する。
＜第５実施例＞
図１２に示すように、洗面化粧台６０は、フロアキャビネット６１の上端に設けたカウンター６２に陶器製洗面器からなる水槽６３を取り付けた洗面台６４と、洗面台６４の上方に載置されるミラーキャビネット６５とより構成される。
洗面台６４は、フロアキャビネット６１の内部に、建屋の壁面Ｗに既設された水道管及び／又は給湯管の先端が露出した配管用空間となっており、水道管及び／又は給湯管の先端に止水栓が取り付けられる。また、止水栓には上方に延びる上水配管が取り付けられる。
図１３に示すように、水槽６３はカウンター６２の下面に接着固定されている。
そして、水槽６３の後端とフロアキャビネット６１の後端との間には隙間６６が形成され、接続用配管が挿通する開口部となっている。
水槽６３の後方には、カウンター６２の後部を高く立ち上げてバックガード６７を形成し、バックガード６７の前面の立壁面６７ａに配管挿通用開口２４を形成している。また、バックガード６７の背面側は、アセンブリー体６８の湯水混合部（図示せず）が配置される湯水混合部収納空間６９となっている。
なお、図示しないが、接続用配管の先端部は、水槽６３よりも下方側領域であるフロアキャビネット６１の内部に達しているので、フロアキャビネット６１の扉を開ければ、正面側から接続用配管の先端部が見えるようになっているのである。
【００４６】
アセンブリー体６８は第３実施例で説明したような平板状であり、水栓７０と接続用配管（図示せず）が予め基台７１に組み付けられている。基台７１の前面側にはレバーハンドル（操作部）１７ａと吐水部１７ｃが露出され、基台の背面側には湯水混合部が配置される。
アセンブリー体６８の取り付け手順は、先ず配管挿通用開口２４に接続用配管を挿入し、次に湯水混合部を湯水混合部収納空間６９に収めるようにしながらアセンブリー体６８で配管挿通用開口２４を隠すようにしてバックガード６７の前面に配置したうえでビス止めしてなる。
【００４７】
この例においては、予め水栓７０と接続用配管を組み付けたアセンブリー体６８をバックガード６７の前面側に取り付けて洗面化粧台６０を組み立てるので、施工が簡単にできる。また、アセンブリー体６８はバックガード６７にビス止めされるだけなので、簡単に着脱ができ、水栓７０のメンテナンスも簡単にできるうえ、水栓７０の取り換えも容易である。
【００４８】
また、アセンブリー体６８の前面は水槽６３の後部に立設する立壁面６７ａとなるので、水栓７０を濡れた手で触ったり、水作業時の水跳ねが水栓７０にかかっても、水栓７０に付着した水はアセンブリー体６８の前面を伝ってすぐに下に落ちるので水栓７０の取付部周りに水が溜まることがなく、水垢も付着しない。
さらに、アセンブリー体６８はバックガード６７の前面側に取り付けられるので、水栓７０のレバーハンドル７０ａやシャワーヘッド７０ｂが使用者側に近づき操作がしやすく、使い勝手が向上する。
さらにまた、接続用配管の先端部が水槽６３よりも下方領域のフロアキャビネット６１の内部に達するので、狭いフロアキャビネット６１の中でも上水配管と接続用配管との連結作業が容易にでき、さらに施工性が向上する。
【００４９】
なお、この第５実施例においては、水槽６３をカウンター６２に取り付けられたものとしたが、水槽６３がフロアキャビネット６１に直接固定されるタイプの洗面化粧台であってもいい。
【００５０】
以上５つの実施例により本発明を説明したが、本発明はこれに限らず種々の形態をとることができる。
例えば、実施例ではキャビネットとしてミラーキャビネットの例のみを示したが、鏡を備えない収納キャビネットであってもいい。また、水栓はシャワーヘッドを備えない一般吐水タイプであってもいい。
さらに、アセンブリー体は製品の出荷前に製造工場において組み付けるものであってもいい。
さらにまた、アセンブリー体はビス以外の取付手段によりキャビネットに取り付けられるものであってもいい。
また、止水栓に取り付けた上水配管に接続用配管を連結したが、それに代えて止水栓に直接接続用配管を連結させてもいい。
また、水槽付き家具は、洗面化粧台に限らず流し台や手洗い器であってもいいし、さらに水槽付き家具はフロアキャビネットを備えず、カウンターが建築体の壁面にブラケットなどにより固定される下方オープンタイプであってもいい。
【００５１】
【発明の効果】
請求項１の発明によれば、水栓と接続用配管を予め基台に組み付けたアセンブリー体をキャビネットに取り付けるので、水槽付き家具への水栓の取り付けが楽にでき、施工性が向上する。
【００５２】
また、接続用配管の先端部が水槽の下方側に達するので、狭い水槽の下方空間でも水道管又は／及び給湯管と接続用配管との連結作業が容易にでき、さらに施性が向上する。
【００５３】
さらに、水栓のメンテナンスも簡単にできるうえ、水栓の取り換えも容易である。
【００５４】
また請求項１の発明によれば、キャビネットに収納部を設け、収納部の前面を開閉自在な扉で覆うと共に収納部の内部にビス孔を形成し、アセンブリー体を前記ビス孔にビス止めしたので、取付けビスが外に露出せず、水槽付き家具の意匠を損なわない。
【００５５】
また、アセンブリー体のビス止め部が扉に隠れているので水作業時の水跳ねがビスに係ることがなく、金属性のビスに錆が発生することもない。
【００５６】
請求項２の発明によれば、水栓と接続用配管を予め基台に組み付けたアセンブリー体をキャビネットに取り付けるので、水槽付き家具への水栓の取り付けが楽にでき、施工性が向上する。
【００５７】
また、接続用配管の先端部が水槽の下方側に達するので、狭いフロアキャビネットの中でも水道管又は／及び給湯管と接続用配管との連結作業が容易にでき、さらに施性が向上する。
【００５８】
さらに、水栓のメンテナンスも簡単にできるうえ、水栓の取り換えも容易である。
【００５９】
また請求項２の発明によれば、キャビネットに収納部を設け、収納部の前面を開閉自在な扉で覆うと共に収納部の内部にビス孔を形成し、アセンブリー体を前記ビス孔にビス止めしたので、取付けビスが外に露出せず、水槽付き家具の意匠を損なわない。
【００６０】
また、アセンブリー体のビス止め部が扉に隠れているので水作業時の水跳ねがビスに係ることがなく、金属性のビスに錆が発生することもない。
【図面の簡単な説明】
【図１】  本発明の第１実施例である洗面化粧台の斜視図である。
【図２】  図１の洗面化粧台の正面図である。
【図３】  図２のＸ−Ｘ断面図である。
【図４】  図２の洗面化粧台からアセンブリー体を外した状態を示す図である。
【図５】  アセンブリー体の基台を示す図であり、（ａ）は正面図、（ｂ）は右側面図、（ｃ）は平面図である。
【図６】  収納部の扉を開いた状態のミラーキャビネット下部の斜視図であり、（ａ）はアセンブリー体の取り付け前、（ｂ）はアセンブリー体の取り付け後を示す。
【図７】  ミラーキャビネットとアセンブリー体の関係を示す図であり、（ａ）は図２のＹ−Ｙ断面図、（ｂ）は図２の扉を外した状態のＰ部のＺ−Ｚ断面図である。
【図８】  ミラーキャビネットにアセンブリー体を取り付ける状態を示す図である。
【図９】  第２実施例の、ミラーキャビネットの下部とアセンブリー体を示す図である。
【図１０】  第３実施例の、ミラーキャビネットの下部とアセンブリー体を示す図である。
【図１１】  第４実施例の、ミラーキャビネットの下部とアセンブリー体を示す図である。
【図１２】  第５実施例の洗面化粧台を示す図である。
【図１３】  図１２のアセンブリー体の周辺部を示す断面図である。
【図１４】  洗面化粧台の従来技術を示す図である。
【図１５】  洗面化粧台の従来技術を示す図である。
【符号の説明】
１、６０…洗面化粧台（水槽付き家具）
２、６１…フロアキャビネット
３、６３…水槽
５…ミラーキャビネット（キャビネット）
１４…収納部
１５…ビス孔
１６…扉
１７…水栓（湯水混合栓）
１７ａ…湯水混合部
１７ｂ…レバーハンドル（操作部）
１７ｃ…シャワーヘッド（吐水部）
１８…接続用配管
１９、３２、４１、５２、６８…アセンブリー体
２１、３４、４３、５４、７１…基台
２４…配管挿通用開口
６７…バックガード
【図１】
0003635652.tif 000002
【図２】
0003635652.tif 000003
【図３】
0003635652.tif 000004
【図４】
0003635652.tif 000005
【図５】
0003635652.tif 000006
【図６】
0003635652.tif 000007
【図７】
0003635652.tif 000008
【図８】
0003635652.tif 000009
【図９】
0003635652.tif 000010
【図１０】
0003635652.tif 000011
【図１１】
0003635652.tif 000012
【図１２】
0003635652.tif 000013
【図１３】
0003635652.tif 000014
【図１４】
0003635652.tif 000015
【図１５】
0003635652.tif 000016